【事件の表示】
　平成　９年特許願第１７９５６６号「撮像装置」拒絶査定不服審判事件〔平成１１年　１月２９日出願公開、特開平１１−　２７６１６、請求項の数（３）〕について、次のとおり審決する。
【結　論】
　原査定を取り消す。
　本願の発明は、特許すべきものとする。
【理　由】
 １．経緯（手続・本願発明・査定）
（１）手続
　本願は、平成９年７月４日の出願である。
（２）本願発明
　その請求項１から請求項３に係る発明（以下、本願各発明ともいう）は、本願明細書および図面（平成１４年６月２１日付け、平成１４年１１月１日付けおよび平成１６年９月６日付けの各手続補正書により補正された明細書および図面）の記載からみて、その特許請求の範囲の請求項１から請求項３までにそれぞれ記載した、下記１のとおりのものである。
　　　　　記１（特許請求の範囲の記載）
　【請求項１】被写体を撮像し画像信号を出力する撮像手段と、
　指示ボタンの押下に応じて出力される撮影タイミング指示信号に従って、上記撮像手段から出力された連続する複数フレームの画像信号を処理して、それぞれ高解像度画像データと低解像度画像データとを生成する画像処理手段と、
　上記画像処理手段によって得られた各フレームの低解像度画像データおよび高解像度画像データを蓄積する第１のメモリと、
　上記第１のメモリに蓄積された各フレームの低解像度画像データを表示手段上にそれぞれ表示させる表示制御手段と、
　上記第１のメモリに蓄積された各フレームの高解像度画像データを所定の圧縮率で圧縮符号化する圧縮符号化手段と、
　上記表示手段上に表示された各フレームの低解像度画像データの中から所望の低解像度画像データを選択する選択操作によって選択された低解像度画像データに対応する画像データを、上記圧縮符号化手段によって圧縮符号化された画像データの中から選択して第２のメモリである不揮発性メモリに転送する転送手段とを有し、
　上記圧縮符号化手段は、選択された低解像度画像データに対応する画像データを、上記所定の圧縮率とは異なる圧縮率で再度圧縮符号化し、上記再度圧縮符号化された画像データを上記転送手段によって上記不揮発性メモリに転送することを特徴とする撮像装置。
　【請求項２】上記表示制御手段は、上記表示手段上に表示された各フレームの低解像度画像データの中から所望の低解像度画像データを選択する選択操作によって選択された低解像度画像データに対応する画像データを、上記表示手段上に拡大表示させることを特徴とする請求項１に記載の撮像装置。
　【請求項３】上記画像処理手段は、上記撮像手段から得られる画像信号を処理して中解像度画像データを生成して上記第１のメモリに蓄積させ、上記表示制御手段は、上記蓄積された中解像度画像データを上記表示手段で表示させることを特徴とする請求項１に記載の撮像装置。
（３）査定
　原査定の理由は、概略、下記２のとおりである。
　　　　　記２（査定の理由）
　本願各発明（請求項１から請求項４までに係る発明）は、下記刊行物に記載された発明及び周知技術に基づいて当業者が容易に発明をすることができたものであるから、特許法第２９条第２項の規定により、特許を受けることができない。
　　　　　記
　刊行物１：特開平３−３６８８６号公報（拒絶理由での引用文献３）
　刊行物２：特開昭６４−７１３７７号公報（査定での引用文献ア）
（４）その他の引用文献
　なお、審査では、上記刊行物の外、下記３の引用文献も提示されている。
　　　　　記３（その他の引用文献）
　刊行物３：特開平４−８８６号公報（拒絶理由での引用文献１）
　刊行物４：特開平６−９８２８８号公報（拒絶理由での引用文献２）
　刊行物５：特開平５−１４５８８４号公報（拒絶理由での引用文献４）
　刊行物６：特開平４−１６２８８１号公報（前置報告書での引用文献イ）
　
２．当審の判断
（１）（ａ）査定で引用された上記刊行物のいずれにも、本願各発明が備える下記の構成は記載されていない。
　　　　　記（本願各発明が備える構成）
　第１のメモリに蓄積された各フレームの高解像度画像データを所定の圧縮率で圧縮符号化する圧縮符号化手段と、
　選択された低解像度画像データに対応する画像データを、圧縮符号化手段によって圧縮符号化された画像データの中から選択して第２のメモリである不揮発性メモリに転送する転送手段とを有し、
　圧縮符号化手段は、選択された低解像度画像データに対応する画像データを、所定の圧縮率とは異なる圧縮率で再度圧縮符号化し、再度圧縮符号化された画像データを転送手段によって不揮発性メモリに転送すること。
　（ｂ）上記構成は、本願明細書の「上記圧縮符号化動作は、撮影画像データ生成部７によって連続する３フレームに対応する保存用の高解像度画像データがバッファメモリ１１内のＭ２〜Ｍ４の部分にすべて蓄積された直後から即座に開始される。」（段落0036）、「上記選択手段による操作者の選択操作が終了すると、ＣＰＵ２７は主メモリ２１上に一時蓄積されている画像ファイルＣ１〜Ｃ３の中から実際に選択された低解像度画像データに対応する画像ファイルを、不揮発性メモリ２４に転送する。」（段落0039）、「主メモリ２１内にすでに圧縮符号化された画像ファイルＣ１〜Ｃ３から選択された撮影画像に対応する画像ファイルをそのまま不揮発性メモリ２４に転送していたが、オプション的な動作として、画像圧縮符号化部１８が選択された撮影画像に対応する高解像度画像データをふたたびバッファメモリ１１から読み出し、一回目とは別の圧縮率で圧縮符号化して主メモリ２１に蓄積した後、最終的に不揮発性メモリ２４に蓄積することも可能である。」（段落0048）の記載に対応するものと認められる。
　（ｃ）そして、本願各発明は、上記構成を備えることにより、本願明細書の段落0049に記載した、「これによって、操作者が保存対象の撮影画像の選択時に、特に気に入った撮影画像に対して、歪みが小さい低圧縮率で再圧縮符号化して得られる画像ファイルを保存することができる。また逆にあまり気に入らずとりあえず保存しておくような撮影画像に対して、ファイルサイズが小さい高圧縮率で再圧縮符号化して得られる画像ファイルを保存することができる。」との効果を奏するものである。
　（ｄ）以上によれば、本願各発明は、上記刊行物に記載された発明及び周知技術に基づいて当業者が容易に発明をすることができたものであるということはできない。
（２）以下、各刊行物の記載について検討する。
（２−１）各刊行物の記載
　（ａ）刊行物１には、以下の記載がある。
　　（ア）「本発明はスチルビデオカメラに関し、詳しくは、撮影条件を変えた撮影を複数回行わせ、その中から画質のよいものを選択して記録媒体に記録するように構成されたスチルビデオカメラに関する。」（１頁右下欄５行〜８行）
　　（イ）「レリーズスイッチ24が１ステップ位置まで押されたときに、・・・測距位置と該測距位置前後との３つの焦点位置でそれぞれ３種類の露出による撮影が行われ、合計９種類の撮影条件で９回の撮影が連続して行われる。」（４頁左上欄11行〜右上欄16行）
　　（ウ）「第８図は画像圧縮処理を行ったときの圧縮率の違いによって複数の中から最適撮影条件で撮影された画像を判別するための構成を示してある。・・・オートブラケット撮影によってバッファメモリ６に一時的に記録された複数の画像データを一旦制御ブロック９内に取り込んで、画像圧縮処理を行った後に再びバッファメモリ６に記録させるようにしており、前記画像圧縮では、高周波成分が多いものほど圧縮率・・・が低くなる傾向を示すので、圧縮率が低いものが最良の画質レベルのものであると推定して、その画像データのみを外部メモリ８に記録する・・・この判別された画像（圧縮済の画像）をスイッチ３２を切り換えることで外部メモリに記憶させる。」（５頁左上欄17行〜左下欄11行）
　　（エ）「尚、上記実施例ではいずれもオートブラケット撮影されたものの中から最適な撮影条件で撮影された画像が自動的に判別されて、最適画像のみが外部メモリ８に記録されるようにしたが、バッファメモリ６に一時的に記憶されている画像を１枚ずつモニタ上に再生できるような再生機能を備え、撮影者がオートブラケット撮影された中から任意に画質レベルの良いものを選択して、例えばその撮影ナンバーをスイッチで指定すると、その画像のみが外部メモリ８に記録されるように構成しても良い。この場合は画像選択手段は、モニタ機能と、モニタされた画像の中から記録するものを指示する指示スイッチとによって構成されることになる。」（５頁左下欄12行〜右下欄５行）
　（ｂ）刊行物２には、以下の記載がある。
　　（オ）「画像毎に圧縮率を変えて処理を行なう場合において、圧縮率の異なる複数の画像を生成し、これを原画像と共に同時表示させることで、利用者は原画像と複数の圧縮率の画像とを相対的に比較しながら希望する圧縮画像を選択することができ、・・・操作性を良くすることができる。」（６頁左上欄２行〜９行、第２図）
　（ｃ）刊行物３には、以下の記載がある。
　　（カ）「画像メモリ１３に一旦記憶されているＹ／Ｃ生成処理後の画像データがコントローラ１０によって順次読出され・・・データ圧縮、伸張回路１７に与えられ・・・先に読込んだ圧縮率で画像データの圧縮が行われ・・・バッファ・メモリ１９に一時的に記憶される。」（５頁右下欄７行〜14行）
　　（キ）「チェック・モードが設定されている場合には・・・バッファ・メモリ１９に記憶されている圧縮された画像データはデータ圧縮、伸張回路１７で元の画像データに伸張され・・・ビューファインダ１６への表示が行なわれる」（５頁右下欄末行〜６頁左上欄７行）
　　（ク）「圧縮率が適当でないときには・・・圧縮率を変更することができる。・・・ステップ４１に戻って・・・変更後の圧縮率での画像データの圧縮処理が行なわれ、この圧縮された画像データはバッファ・メモリ１９に記憶され・・・そして、その画像データが伸張されたのちビュー・ファインダ１６に表示される・・・このことにより、変更後の圧縮率が妥当であるかどうか知ることができる。」（６頁左上欄14行〜右上欄５行）
　　（ケ）「記録モード・スイッチ２３が押されれば、設定されたまたは変更された圧縮率でデータ圧縮されかつバッファ・メモリ１９に記憶されている画像データがメモリ・カード１８に記録される」（６頁右上欄６行〜９行）
　（ｄ）刊行物４には、以下の記載がある。
　　（コ）「前記圧縮手段は、入力される静止画像情報を複数の異なる圧縮率で圧縮し、複数の画像圧縮データを生じる。前記記憶手段は前記圧縮手段により互いに異なる圧縮率で圧縮された複数の画像データを各々記憶し、従って記憶手段には同一画像情報から得られた互いに圧縮率の異なる複数の画像データが保存される。従って本発明では、記憶された複数の画像データの内から使用状況および使用目的に応じた最適な画質の画像を生成することができる。」（段落0009）
　（ｅ）刊行物５には、以下の記載がある。
　　（サ）「【作用】本発明によれば、コンパクトディスク規格の光ディスクに画像データを記録する場合、第１の画像サイズの一画面にこれより小さな第２の画像サイズの画像を複数個取り込んで、画像の編集を行った後、結果の画像データを光ディスクに記録する。」（段落0009）
　　（シ）「【発明の効果】このように本発明によれば、ソース画像１枚当たりに費やす記録媒体のデータ領域が少なくて済み、１枚のコンパクトディスクに小さな画像サイズの画像データがより多く保存可能となり、保存効率および経済性が向上する。また再生の際、画素数の少ないソース画像は１画面に複数取り込まれて画面上に表示されるため、複数の画像の一括した視認、検索が容易となる。」（段落0020）
　（ｆ）刊行物６には、以下の記載がある。
　　（ス）「本発明によればエクスポージャブランケッティング露光した複数の像を、メモリに一時記憶し、これをモニタに出力することによって撮影者の意図に合致した像を選択可能にし、選択された像のにを恒久的に蓄積（記憶）、記録することにより、経験がなくとも、撮影者の意図に合致した映像を容易に記録することができる。」（３頁右上欄16行〜左下欄２行）
　　（セ）「例えば前述の９ショットでエクスポージャブランケッティングを完結する時にはモニタ１１の画面に露光量の異なる９コマの画面を３×３の配列で一度に表示すると選択するのに便利である。」（５頁左上欄１行〜５行）
（２−２）刊行物１との対比
　（ａ）記載（エ）によれば、刊行物１には、複数の画像を１枚ずつモニタに再生し選択することが開示されている。これに対して、本願発明は複数の画像を表示し選択するものであり、相違が認められる。しかし、この相違点だけについて言えば、刊行物６の記載（ス）（セ）を参照すると、容易になし得る程度の事項であると言うことができる。
　（ｂ）記載（ウ）によれば、最適撮影条件で撮影された画像（審決注：最適画像）を判別する前に、バッファメモリ６に記録されている複数の画像データに対して圧縮処理を行った後に再びバッファメモリ６に記録している。そして、その後、判別された最適画像（圧縮済の画像）を外部メモリ８に記憶している。この限りでは、刊行物１には、本願発明の「第１のメモリに蓄積された各フレームの（高解像度）画像データを（所定の圧縮率で）圧縮符号化する圧縮符号化手段」、および「選択された低解像度画像データに対応する画像データを、圧縮符号化手段によって圧縮符号化された画像データの中から選択して第２のメモリである不揮発性メモリに転送する転送手段」に相当する手段の存在が認められる。
　ところで、記載（エ）によれば、モニタによる選択手法（１枚ずつモニタに再生して選択すること）は、圧縮率による自動判断手法（各画像の圧縮率でもって最適画像を自動的に判断する）に換えて採用するものである。他方、自動判断手法は、各画像の圧縮率でもって最適画像を自動的に判断するというものであるから、最適画像を判別する前に圧縮処理を行うことは、同自動判断手法と一体の構成であることが認められる。そうすると、最適画像の判断の前に圧縮処理をする構成は、自動判断手法に換えてモニタによる選択手法を採用する場合には、一緒に除かれることとなると解するのが自然である。したがって、刊行物１は、最適画像を判断する前に圧縮処理をする構成を残したままでは、モニタによる選択手法を採用し得ない構成であると言うべきである。
　以上によれば、刊行物１は、モニタによる選択手法を採用する場合には、本願発明にいう「第１のメモリに蓄積された各フレームの高解像度画像データを所定の圧縮率で圧縮符号化する圧縮符号化手段」、および「選択された低解像度画像データに対応する画像データを、圧縮符号化手段によって圧縮符号化された画像データの中から選択して第２のメモリである不揮発性メモリに転送する転送手段」を備えるものではないと言わざるをえない。
　（ｃ）この点を措いて、仮に、モニタによる選択手法と自動判断手法とが並存する構成を想定したとしても、自動判断手法の圧縮率は各画像毎に異なるものであるから、本願発明にいう「所定の圧縮率で圧縮符号化する」との構成を備えることにはならない。まして、「選択された・・・画像データを、所定の圧縮率とは異なる圧縮率で再度圧縮符号化し、」との構成まで導くことはできない。
　この点につき刊行物３には、「設定されたまたは変更された圧縮率でデータ圧縮された画像データがメモリ・カードに記録される」旨の記載がある。しかし、刊行物３は、「圧縮率を変更」（再度圧縮符号化）したものの中から画像を選択するものであり、本願発明のような、「選択された・・・画像データを、所定の圧縮率とは異なる圧縮率で再度圧縮符号化し、」を開示するものではない。
（２−３）その他の刊行物との対比
　（ａ）刊行物２において表示する複数の画像は、一つの画像について複数の圧縮率で圧縮した複数の圧縮画像の各々である。表示する複数の画像を、本願発明のような「連続する複数フレームの画像信号」とすることの動機を欠くものである。
　（ｂ）刊行物３における「圧縮率を変更」が、本願発明の構成に対応するものでないことは、前記のとおりである。
　（ｃ）刊行物４における「入力される静止画像情報を複数の異なる圧縮率で圧縮し、」、および、刊行物５における「第１の画像サイズの一画面にこれより小さな第２の画像サイズの画像を複数個取り込んで、画像の編集を行（う）」も、本願発明の構成に対応するものでない。
　
３．むすび
　以上、原査定の理由によっては、本願を拒絶することはできない。
　また、他に、本願を拒絶すべき理由を発見しない。
　よって、結論のとおり審決する。